(57)【特許請求の範囲】
【請求項１】
光源と、この光源を配設する基板と、この基板を固定する固定部材と、回転軸を有し、光源の放射光が回転軸に対して周方向に出射されるように前記基板を回転軸に取り付けている基台と、前記固定部材と前記基台との距離を可変可能に固定部材を基台に固定し、前記距離を可変することによって基板を基台の回転軸回りに回動させる回動手段とを有してなる光源ユニットと；
一端側開口に取付け部を有し、他端側が固定物に固定される筒状の灯体と；
灯体の中心軸に基台の回転中心が位置するようにして、回転中心回りに回動できるように基台を灯体の取付け部に取り付けている取付け手段と；
光源ユニットを内包し灯体の一端側開口を覆うようにして灯体の一端側に着脱可能に取り付けられた透光性の保護カバーと；
を具備していることを特徴とする標識灯。
【請求項２】
回動手段は、固定部材に形成された孔と、基台に形成されたねじ孔と、固定部材および基台にそれぞれ接触するようにして孔とねじ孔の間に設けられた弾性復帰するばねと、孔およびばねをそれぞれ挿通してねじ孔に螺着され、頭部が孔において固定部材を係止するねじとを有して形成されていることを特徴とする請求項１記載の標識灯。
【請求項３】
基台は、回転中心を挟み、当該回転中心を通る同一直線上で対向する位置であって、回転中心に対する円周上に所定長の長孔が形成されており、この長孔を介して取付け手段により灯体の取付け部に取り付けられていることを特徴とする請求項１または２記載の標識灯。
【請求項４】
灯体の取付け部は、灯体の外方側に突出するねじの軸を有し、基台の長孔にねじの軸が挿通され、基台は、ねじの軸に螺合されたナットにより灯体の取付け部に取り付けられていることを特徴とする請求項３記載の標識灯。
【発明の詳細な説明】
【技術分野】
【０００１】
本発明は、光源からの放射光を所定の方向に出射する標識灯に関する。
【背景技術】
【０００２】
誘導路用標識灯のような地上型航空標識灯は、光源からの放射光を所定の方向に照射するために、現場で投光角度の調整や配光特性に関わる光学系の調整が行われている。そして、この調整作業が簡単かつ迅速に行える空港用地上形標識灯が提案されている(例えば特許文献１参照。)。この従来技術の標識灯は、標識灯本体と、基台（固定物）および支持部と固定手段とに分離して構成され、基台の上部に凹部を形成し、支持部の下部に上記凹部に位置調整可能に係合する凸部を、上部に受け座を、それぞれ形成して、標識灯本体の投光角度の調整を基台と支持部の間で行えるようにし、投光角度の調整後は、固定手段によって支持部を基台に固定するようにしたものである。したがって、予め、工場内で標識灯本体の光学調整をしておくと、現場では、投光角度の調整だけで済むというものである。
【特許文献１】特開平３−４０３０５号公報（第３頁、第１０図）
【発明の開示】
【発明が解決しようとする課題】
【０００３】
特許文献１の標識灯は、投光角度の調整と、標識灯本体および支持部の基台（固定物）への固定とを同一作業で同時に行うので、煩わしさを伴うとともに、支持部を基台に固定手段(蝶ねじ)によって固定するときに、調整した位置関係がずれるおそれがある。そして、投光角度の微調整を行うときも、固定手段による固定を解除して、それぞれ大型の基台および支持部での微調整をすることになるので、当該調整作業は、面倒であり、手間や時間を要するという欠点を有する。
【０００４】
本発明は、固定物への固定と照射方向の調整作業が容易かつ迅速に行える標識灯を提供することを目的とする。
【課題を解決するための手段】
【０００５】
請求項１に記載の標識灯の発明は、光源と、この光源を配設する基板と、この基板を固定する固定部材と、回転軸を有し、光源の放射光が回転軸に対して周方向に出射されるように前記基板を回転軸に取り付けている基台と、前記固定部材と前記基台との距離を可変可能に固定部材を基台に固定し、前記距離を可変することによって基板を基台の回転軸回りに回動させる回動手段とを有してなる光源ユニットと；一端側開口に取付け部を有し、他端側が固定物に固定される筒状の灯体と；灯体の中心軸に基台の回転中心が位置するようにして、回転中心回りに回動できるように基台を灯体の取付け部に取り付けている取付け手段と；光源ユニットを内包し灯体の一端側開口を覆うようにして灯体の一端側に着脱可能に取り付けられた透光性の保護カバーと；を具備していることを特徴とする。
【０００６】
本発明および以下の各発明において、特に言及しない限り、各構成は以下による。
【０００７】
「光源を基板に配設する」とは、光源が基板に直接配設されていてもよく、光源を実装している基体が基板に配設されてもよいことを意味する。そして、光源は、１個であってもよく、複数個であってもよい。また、光源は、例えば発光ダイオードを用いて形成することができる。
【０００８】
基板は、回転軸に直接的に取り付けられてもよく、他の部材を介して回転軸に取り付けられてもよい。
【０００９】
基台は、回転軸を直接的に設けていてもよく、回転軸を有する支持部材などを取り付けることにより、回転軸を有するようにしてもよい。
【００１０】
本発明によれば、灯体の他端側を固定物に固定した状態で、光源からの放射光の出射方向の調整（微調整）が行える。すなわち、灯体の取付け部に対して基台を回転中心回りに回動させ、所望の回動位置において、基台を取付け手段により灯体の取付け部に固定することにより、灯体の周方向回りに対する出射方向の調整が行える。また、回動手段により、固定部材と基台との距離を可変することにより、基板(光源)が基台の回転軸回りに回動し、光源の放射光に対して、灯体の中心軸方向と直交する方向に対する仰角の出射方向の調整が行える。そして、これらの調整後、灯体の一端側に保護カバーが取り付けられる。
【００１１】
請求項２に記載の標識灯の発明は、請求項１記載の標識灯において、回動手段は、固定部材に形成された孔と、基台に形成されたねじ孔と、固定部材および基台にそれぞれ接触するようにして孔とねじ孔の間に設けられた弾性復帰するばねと、孔およびばねをそれぞれ挿通してねじ孔に螺着され、頭部が孔において固定部材を係止するねじとを有して形成されていることを特徴とする。
【００１２】
基台は、一面にねじ孔を直接形成していてもよく、ねじ孔が形成されている部材を取り付けていてもよい。
【００１３】
本発明によれば、ねじをねじ孔にねじ込むことにより、または、ねじをねじ孔から緩めることにより、固定部材と基台との距離が可変され、光源の放射光に対して、灯体の中心軸方向と直交する方向に対する仰角の出射方向の調整が行える。
【００１４】
請求項３に記載の標識灯の発明は、請求項1または２記載の標識灯において、基台は、回転中心を挟み、当該回転中心を通る同一直線上で対向する位置であって、回転中心に対する円周上に所定長の長孔が形成されており、この長孔を介して取付け手段により灯体の取付け部に取り付けられていることを特徴とする。
【００１５】
本発明によれば、基台は、取付け手段により、灯体の取付け部に回転中心を挟む少なくとも２ケ所で固定される。
【００１６】
請求項４に記載の標識灯の発明は、請求項３記載の標識灯において、灯体の取付け部は、灯体の外方側に突出するねじの軸を有し、基台の長孔にねじの軸が挿通され、基台は、ねじの軸に螺合されたナットにより灯体の取付け部に取り付けられていることを特徴とする。
【００１７】
本発明によれば、ねじの軸が基台の長孔に挿通されることにより、ねじの軸がストッパとなって基台が長孔の形成範囲内で回動するので、光源の放射光に対して、灯体の周方向回りに対する出射方向の調整が行いやすくなる。
【発明の効果】
【００１８】
請求項１の発明によれば、灯体を固定物に固定した後、回動手段によって光源の放射光に対して、灯体の中心軸方向と直交する方向に対する仰角の出射方向を調整でき、取付け手段によって灯体の周方向に対する出射方向を調整できるので、灯体の固定物への固定と、光源の放射光に対する出射方向の調整が分離されて、当該調整作業を容易かつ迅速に行うことができ、省力化を図ることができる。
【００１９】
請求項２の発明によれば、ねじのねじ孔へのねじ込み、または、ねじ孔からの緩めにより、固定部材と基台との距離を可変することができるので、光源の放射光に対して、灯体の中心軸方向と直交する方向に対する仰角の出射方向の調整を容易かつ迅速に行うことができる。
【００２０】
請求項３の発明によれば、基台は、回転中心を挟み、灯体の取付け部に回転中心を通る同一直線上で少なくとも２ヶ所で固定されるので、灯体の周方向に対する光源の放射光の出射方向がずれることを防止することができる。
【００２１】
請求項４の発明によれば、灯体の取付け部は、灯体の外方側に突出するねじの軸を設けているので、基台の長孔をねじの軸に対向させやすくなり、光源の放射光に対して、灯体の周方向回りに対する出射方向の調整を容易かつ迅速に行うことができて、省力化を図ることができる。
【発明を実施するための最良の形態】
【００２２】
以下、本発明の一実施の形態について、図面を参照して説明する。
【００２３】
図１ないし図６は、本発明の一実施の形態を示し、図１は標識灯の一部切り欠き概略側面図、図２は標識灯の保護カバーを取り外した状態の概略側面図、図３は標識灯の概略上面図、図４は光源ユニットの概略側面図、図５は光源ユニットの概略上面図、図６は他の取付け手段を示す標識灯の概略上面図である。
【００２４】
標識灯１は、地上型航空標識灯であり、光源ユニット２、灯体３、取付け手段としてのねじ４および保護カバー５を有して構成されている。
【００２５】
標識灯１は、図１に示すように、灯体３が固定物としての可折接手６に固定され、光源ユニット２から放射された光を灯体３の周方向を出射するものである。そして、保護カバー５を取り外して、光源ユニット２で光源７の出射方向に対する微調整が行えるものである。
【００２６】
光源ユニット２は、図５に示すように、光源７、基板８、固定部材９、基台１０および回動手段１１などを有して形成されている。光源７は、長方形状の基体１２に実装された図示しない発光ダイオードおよび円筒状の樹脂からなる包囲体１３を有して形成されている。光源７は、標識灯１の設置場所に応じて、赤色、緑色、青色などの所定の色光を放射するように形成されている。
【００２７】
基板８は、例えばアルミニウム(Ａｌ)からなり、長方形状に形成され、一面８ａに光源７の基体１２を配設し、他面８ｂに固定部材９を図示しないねじにより取り付けている。基板８の他面８ｂは、一面８ａに対する背面側である。
【００２８】
固定部材９は、例えばアルミニウム(Ａｌ)からなり、一端側９ａが四角状に形成され、他端側９ｂが山形状に形成されている。そして、一端側９ａが基板８の他面８ｂに、基板８が左右対称になるようにして、図示しないねじにより固定されている。また、他端側９ｂの先端部には、孔１４が形成されている。
【００２９】
基台１０は、例えばアルミニウム(Ａｌ)からなり、切り欠き部１５ａ，１５ａ，１５ｂを有する円盤状に形成されている。そして、回転中心１６に対する円周上に所定長の長孔１７，１７が形成されている。この長孔１７，１７は、回転中心１６を挟み、回転中心１６を通る直線上で対向する位置にそれぞれ形成されている。また、当該円周上は、後述する灯体３の取付け部３１，３１が位置するものである。
【００３０】
また、基台１０は、一面１０ａ側に回転軸１８を有する支持部材１９をねじ２０により取り付けている。回転軸１８には、基板８の他面８ｂに固定されている回転部材２１が取り付けられている。回転部材２１は、光源７の放射光が基台１０の周方向側に出射されるように、すなわち回転軸１８に対して周方向に出射されるように、基板８を回転軸１８に取り付けている。これにより、光源７は、回転軸１８回りに回転する。
【００３１】
そして、基台１０には、図４に示すように、回転軸１８の回転角度を表示するメモリ板２２が取り付けられている。固定部材９の他端側９ｂが基台１０一面１０ａと平行となり、光源７の放射光が基台１０の一面１０ａと平行となるように出射されるときには、図示しない支持棒が０°の位置を指し、光源７が図４中上方に向いて仰角が大きくなるにしたがい、当該仰角の位置を指すようにしている。
【００３２】
回動手段１１は、固定部材９の他端側９ｂの先端部に形成された孔１４と、基台１０の一面１０ａ側に形成されたねじ孔２３と、弾性変形し、弾性復帰するばね２４と、ねじ２５とを有して形成されている。ねじ孔２３は、基台１０の一面１０ａに取り付けられた長円形の柱体２６に形成されている。ばね２４は、筒状に形成され、孔１４とねじ孔２３との間に設けられ、固定部材９の他端側９ｂおよび柱体２６の上面にそれぞれ接触して押圧する。ねじ２５は、孔１４およびばね２４をそれぞれ挿通して柱体２６のねじ孔２３に螺着されている。そして、ねじ２５の頭部２５ａが孔１４において固定部材９の他端側９ｂを係止している。これにより、固定部材９の他端側９ｂが柱体２６（基台１０）に固定され、光源７および基板８が回転軸１８回りに回動されなくなり、固定される。
【００３３】
そして、ねじ２５を柱体２６のねじ孔２３にねじ込むと、ねじ２５からの押圧により筒状のばね２４が縮み、固定部材９の他端側９ｂが基台１０の一面１０ａに近づく。これにより、光源７および基板８は、回転軸１８回りの図４中上方側に回動し、光源７の水平面(基台１０の一面１０ａ)に対する仰角が大きくなるように変化する。そして、ねじ２５をねじ孔２３に対して緩めると、ばね２４の弾性復帰力により固定部材９の他端側９ｂが押圧されて基台１０の一面１０ａから遠ざかる。これにより、光源７および基板８は、回転軸１８回りの図４中下方側に回動し、光源７の水平面に対する仰角が小さくなるように変化する。このように、ねじ孔２３に対するねじ２５のねじ込みまたは緩めにより、固定部材９の他端側９ｂと基台１０の一面１０ａとの距離Ｈ１が可変されるものである。そして、ねじ２５に対する上記操作によって前記距離Ｈ１が可変することによって、光源７および基板８が基台１０の回転軸１８回りに回動して、光源７の水平面に対する仰角が変化するものである。すなわち、光源７の放射光に対して、ねじ２５によって仰角の出射方向の調整が行える。
【００３４】
光源ユニット２は、上述したように形成されて、灯体３の一端側開口３ｃに配設されている。灯体３は、例えばアルミニウム(Ａｌ)からなり、図２に示すように、一端側３ａの内側に、内方に突出する突出部２７を略円筒状に形成している。この突出部２７には、略円盤状の土台２８がねじ２９により固定されている。
【００３５】
土台２８は、灯体３の内部に収容するようにして例えばアルミニウム(Ａｌ)からなる収容箱３０を鋳造により一体に取り付けているとともに、灯体３の外方側に光源ユニット２を取付け手段としてのねじ４，４により固定している（図３に示す。）。すなわち、土台２８には、取付け部としてのねじ孔３１，３１が形成されている。そして、土台２８は、光源ユニット２の基台１０が載置された後、取付け手段としてのねじ４，４が灯体３の外方側から基台１０の長孔１７，１７を介してねじ孔３１，３１に螺着されることにより、基台１０を固定している。このとき、灯体３の中心軸に基台１０の回転中心１６が位置するようにして取り付けている。
【００３６】
基台１０の長孔１７，１７は、回転中心１６に対する円周上に所定長形成されているので、土台２８のねじ孔３１，３１に対向させる位置を可変することができる。これにより、基台１０は、長孔１７の形成範囲内で回転中心１６回りに回動する。すなわち、光源７の放射光に対して、灯体３の周方向回りに対する出射方向の調整が基台１０の長孔１７の形成範囲内で行える。
【００３７】
そして、土台２８に取り付けられた収納箱３０には、カレントトランスＴ１および点灯ユニット３２が収納されている。点灯ユニット３２は、カレントトランスＴ１以外の光源７を点灯する回路部品を有して形成されている。
【００３８】
そして、灯体３は、その他端側３ｂにおいて、一部が他端側３ｂの内部に挿入された略円筒状の可折接手６にねじ３３，３３により取り付けられている。灯体３の他端側３ｂの内部に挿入された可折接手６の部分は、収納箱３０の一部を包囲している。可折接手６は、例えばアルミニウム(Ａｌ)からなっている。そして、可折接手６の一端部６ａからは、点灯ユニット３２に接続されているコネクタ３４付きの電源コード３５が導出されている。
【００３９】
灯体３は、ねじ３３，３３を緩めることにより、可折接手６の回りに回動させることができ、また、可折接手６から取り外すことができる。そして、ねじ３３，３３を可折接手６に押し付けることにより、灯体３の他端側３ｂが可折接手６に固定される。
【００４０】
そして、電源コード３５を介して交流定電流電源から電流が点灯ユニット３２に供給されることにより、光源７の発光ダイオードが点灯する。光源７から放射された光は、保護カバー５を透過して、灯体３の周方向側の外方に出射される。
【００４１】
保護カバー５は、図１に示すように、透光性の例えばポリカーボネート樹脂からなり、略砲弾形に形成されている。そして、光源ユニット２を内包し灯体３の一端側開口３ｃを覆うようにして、灯体３の一端側３ａに取り付けられている。すなわち、灯体３の一端側３ａは、環状の段部３６に形成されている。この段部３６の外表面に、図３に示すように、９０°間隔で凸部３７が形成されている。保護カバー７は、凸部３７を嵌め込むようにして段部３６に取り付けられている。
【００４２】
そして、保護カバー５は、凸部３７の押圧力により段部３６に固定され、その押圧力に対抗することにより段部３６から取り外される。すなわち、図１において、保護カバー５を手で掴み、灯体３の中心軸回りに回転させるようにして灯体３の外方側に引き抜くことにより、段部３６から容易に取り外される。逆に、保護カバー５を灯体３の中心軸回りに回転させるようにして灯体３の内方側に押し込むことにより、段部３６に容易に取り付けられる。このように、保護カバー５は、灯体３の一端側３ａに着脱可能に取り付けられている。
【００４３】
なお、灯体３の段部３６および保護カバー５の内面にそれぞれねじを形成して、保護カバー５を灯体３に螺着するように構成されてもよい。
【００４４】
次に、本発明の一実施の形態の作用および効果について述べる。
【００４５】
標識灯１は、灯体３の他端側３ｂが固定物としての可折接手６に挿入される。この状態で、光源７の放射光を出射して照明する出射方向側に灯体３を回転させ、ねじ３３，３３により灯体３の他端側３ｂを可折接手６に固定する。これにより、標識灯１は、可折接手６に取り付けられる。
【００４６】
光源７の放射光に対して、出射方向の調整(微調整)を行うには、まず、保護カバー５を灯体３の一端側３ａから取り外す。この後、光源７を点灯させる。
【００４７】
そして、灯体３の周方向回りに対する出射方向の調整を行うには、取付け手段としてのねじ４，４を緩める。これにより、基台１０(光源ユニット２)を長孔１７，１７の形成範囲内で回動させることができる。そして、光源７の放射光の出射方向を目視しながら、放射光が所望の出射方向となるように基台１０を回動させる。その所望の出射方向となった回動位置で、ねじ４，４を取付け部としての土台２８のねじ孔３１，３１に完全にねじ込む。このように、ねじ４，４の緩め、ねじ込みと、基台１０の回動とによって、光源７の放射光に対して、灯体３の周方向回りに対する調整が行える。すなわち、当該調整作業を容易かつ迅速に行うことができる。
【００４８】
また、基台１０は、基台１０の回転中心１６を挟み、当該回転中心１６を通る同一直線上に位置する土台２８の２ヶ所のねじ孔３１，３１で固定されるので、経時においても基台１０が回動しにくく、灯体３の周方向回りに対する光源７の放射光の出射方向がずれることを防止することができる。
【００４９】
そして、水平方向（灯体３の中心軸方向と直交する方向）に対する仰角の出射方向の調整を行うには、光源７の放射光の出射方向を目視しながら、回動手段１１のねじ２５を柱体２６のねじ孔２３にねじ込み、または、ねじ孔２３から緩めて、固定部材９の他端側９ｂと基台１０の一面１０ａとの距離Ｈ１を可変させる。これにより、光源９が支持部材１９の回転軸１８回りに回転して放射光の出射方向が変化するので、所望の出射方向となったときに、ねじ２５のねじ込みまたは緩めを停止する。これにより、光源７の放射光に対する出射方向が所望に固定される。
【００５０】
このように、光源７の放射光に対して、水平方向に対する仰角の出射方向の調整がねじ２５のねじ孔２３へのねじ込み、または、ねじ孔２３からの緩めにより行えるので、当該調整作業を容易かつ迅速に行うことができる。
【００５１】
そして、前記調整作業の終了後、光源７が消灯され、保護カバー５が灯体３の一端側３ａに取り付けられる。
【００５２】
上述したように、標識灯１の可折接手６への取付作業と、光源７の放射光に対する出射方向の調整作業を分離して行うことができる。そして、光源７の放射光に対して、灯体３の周方向回りに対する出射方向の調整および水平方向に対する出射方向の調整がそれぞれ容易かつ迅速に行うことができるので、前記調整作業における省力化を図ることができる。
【００５３】
なお、土台２８のねじ孔３１，３１にねじ４，４を螺着させず、図６に示すように、ねじ孔３１，３１に灯体３の外方側に突出するねじの軸３８，３８を設け、このねじの軸３８，３８に基台１０の長孔１７，１７を挿通させ、取付け手段としてナット３９，３９を螺合させ、土台２８とナット３９，３９によって基台１０を取り付けるようにしてもよい。光源７の放射光に対して出射方向を調整するときには、ナット３９，３９を緩めることにより、上記同様に調整作業を行うことができる。
【図面の簡単な説明】
【００５４】
【図１】本発明の一実施の形態を示す標識灯の一部切り欠き概略側面図。
【図２】同じく、標識灯の保護カバーを取り外した上体の概略側面図。
【図３】同じく、標識灯の概略上面図。
【図４】同じく、光源ユニットの概略側面図。
【図５】同じく、光源ユニットの概略上面図。
【図６】同じく、他の取付け手段を示す標識灯の概略上面図。
【符号の説明】
【００５５】
１…標識灯
２…光源ユニット
３…灯体
４…取付け手段としてのねじ
５…保護カバー
７…光源
８…基板
９…固定部材
１０…基台
１１…回動手段
１７…長孔
１８…回転軸
３１…取付け部としてのねじ孔
３９…取付け手段としてのナット
【図１】
0004793656.tif 000002
【図２】
0004793656.tif 000003
【図３】
0004793656.tif 000004
【図４】
0004793656.tif 000005
【図５】
0004793656.tif 000006
【図６】
0004793656.tif 000007